(57)【要約】【課題】対向配置された２つの電極間を帯電性粒子が移動することにより情報を表示するものにおいて情報の記入から表示までの時間を短縮する。【解決手段】タッチパネル部５０における接触点に対向する点から半径ａ内の領域について、透明電極２１側に引き寄せられていた帯電性粒子３３を表示電極１１側に引き寄せて表示電極１１と透明電極２１のいずれにも引き寄せられていない状態にしておき、その後、その領域においてタッチパネル部５０にて接触点が検出された場合に、その接触点に配置された表示電極１１に対して、表示電極１１と透明電極２１のいずれにも引き寄せられていない帯電性粒子３３が表示電極１１側に完全に引き寄せられるのに十分な電圧を印加する。【選択図】図１
2011150119.tif 000002
【特許請求の範囲】
【請求項１】
記入情報を表示する記入情報表示装置であって、
複数の電極からなる第１の電極層と、前記第１の電極層と対向配置された第２の電極層とを具備し、前記複数の電極に第１及び第２の電圧のいずれか一方が選択的に印加された場合に該電圧に応じて帯電性粒子が前記第１の電極層と前記第２の電極層とのいずれか一方に引き寄せられることにより、前記第１の電圧が印加された電極に対向する領域と前記第２の電圧が印加された電極に対向する領域とで互いに異なる色を表示する情報表示層と、
前記情報表示層上に該情報表示層にて表示される色を透視可能に積層され、表面における接触点を検出するタッチパネル部と、
前記複数の電極のうち、前記情報表示層の前記タッチパネル部にて検出された接触点に対向する点から所定の範囲内の領域のうち前記記入情報を表示するための色を表示していない領域に配置された電極に、該電極に対向する領域にて前記帯電性粒子が、前記第１及び第２の電極層のいずれにも引き寄せられていない状態とするための電圧を印加するプレドライブ処理と、前記プレドライブ処理を行った領域について、その後、前記タッチパネル部にて検出された接触点に対向する点に配置された電極に、前記記入情報を表示するための色を表示する電圧を印加するとともに、前記タッチパネル部にて検出された接触点に対向する点から前記所定の範囲の領域外となった領域に配置された電極に、当該領域の表示状態を前記プレドライブ処理が行われる直前の表示状態に戻すための電圧を印加する実ドライブ処理とを行う表示制御手段とを有する記入情報表示装置。
【発明の詳細な説明】
【技術分野】
【０００１】
本発明は、記入された情報を表示する記入情報表示装置に関し、特に、対向配置された２つの電極間を帯電性粒子が移動することにより情報を表示するものにおいて情報の記入から表示までの時間を短縮する技術に関する。
【背景技術】
【０００２】
昨今、書籍や新聞等に掲載される内容をコンテンツとして記憶、表示可能な電子ブックが販売されている。このような電子ブックとしては、例えば、有機ＥＬ素子を用いて情報を表示するものがあり、薄型でありながらも情報の可変表示が可能であることから、今後のさらなる普及が予想される（例えば、特許文献１参照。）。このような電子ブックとしては、有機ＥＬ素子を用いたものではなく、対向配置された２つの電極間を帯電性粒子が移動することにより情報を表示する電気泳動表示方式によるものも考えられており、電気泳動表示方式によるものは、電源を切断した後でも表示状態を維持することができることから、有機ＥＬ素子を用いたものに比べて消費電力の面で優れている。
【０００３】
上記のような電子ブックにおいては、近年、情報を表示するだけではなく、情報を書き込むことを可能な構成とすることにより、表示されたコンテンツにメモを記入可能としたものが考えられている。電子ブックにおいて情報の記入を可能とするためには、上述したような電気泳動表示を行う情報表示層上に、接触領域を検出するタッチパネル部を積層し、タッチパネル部にて接触が検出された領域に対向する電極に、情報表示層にて情報を表示するための電圧を印加することにより、ペン等によって記入された情報を表示することができるようになっている。
【先行技術文献】
【特許文献】
【０００４】
【特許文献１】特開２０１０−２９２０号公報
【発明の概要】
【発明が解決しようとする課題】
【０００５】
上述したような電気泳動表示方式を用いたものにおいては、対向配置された２つの電極をその電極に印加された電圧に応じて帯電性粒子が移動することによって情報が表示されることになるが、２つの電極間を帯電性粒子が移動するための時間がかかるため、ペン等によって情報を記入してからその情報が表示されるまでにタイムラグが生じ、それにより、操作者が情報を記入した時点においてその情報が認識されているのかわからず、また、筆記の軌跡が即時に表示されないことから、記入する情報のバランスがとりにくいという問題点がある。
【０００６】
本発明は、上述したような従来の技術が有する問題点に鑑みてなされたものであって、対向配置された２つの電極間を帯電性粒子が移動することにより情報を表示するものにおいて情報の記入から表示までの時間を短縮することができる記入情報表示装置を提供することを目的とする。
【課題を解決するための手段】
【０００７】
上記目的を達成するために本発明は、
記入情報を表示する記入情報表示装置であって、
複数の電極からなる第１の電極層と、前記第１の電極層と対向配置された第２の電極層とを具備し、前記複数の電極に第１及び第２の電圧のいずれか一方が選択的に印加された場合に該電圧に応じて帯電性粒子が前記第１の電極層と前記第２の電極層とのいずれか一方に引き寄せられることにより、前記第１の電圧が印加された電極に対向する領域と前記第２の電圧が印加された電極に対向する領域とで互いに異なる色を表示する情報表示層と、
前記情報表示層上に該情報表示層にて表示される色を透視可能に積層され、表面における接触点を検出するタッチパネル部と、
前記複数の電極のうち、前記情報表示層の前記タッチパネル部にて検出された接触点に対向する点から所定の範囲内の領域のうち前記記入情報を表示するための色を表示していない領域に配置された電極に、該電極に対向する領域にて前記帯電性粒子が、前記第１及び第２の電極層のいずれにも引き寄せられていない状態とするための電圧を印加するプレドライブ処理と、前記プレドライブ処理を行った領域について、その後、前記タッチパネル部にて検出された接触点に対向する点に配置された電極に、前記記入情報を表示するための色を表示する電圧を印加するとともに、前記タッチパネル部にて検出された接触点に対向する点から前記所定の範囲の領域外となった領域に配置された電極に、当該領域の表示状態を前記プレドライブ処理が行われる直前の表示状態に戻すための電圧を印加する実ドライブ処理とを行う表示制御手段とを有する。
【０００８】
上記のように構成された本発明においては、情報を記入するためにタッチパネル部にペン等を接触させると、まず、表示制御手段においてプレドライブ処理が行われる。プレドライブ処理においては、第１の電極層を構成する複数の電極のうち、情報表示層のタッチパネル部にて検出された接触点に対向する点から所定の範囲内の領域のうち記入情報を表示するための色を表示していない領域に配置された電極に、その電極に対向する領域にて帯電性粒子が、第１及び第２の電極層のいずれにも引き寄せられていない状態とするための電圧が印加される。その領域においては、記入情報を表示するための色を表示していないことから、帯電性粒子は、第１及び第２の電極層のうち、その領域にて記入情報を表示するための色を表示しないようになる電極層側に引き寄せられているが、このプレドライブ処理により、帯電性粒子は、第１及び第２の電極層のうち、その領域にて記入情報を表示するための色を表示するようになる電極層側に引き寄せられ始めた状態となる。その後、表示制御手段において実ドライブ処理が行われる。実ドライブ処理においては、プレドライブ処理の後、プレドライブ処理が行われた領域について、タッチパネル部にて検出された接触点に対向する点に配置された電極に、記入情報を表示するための色を表示する電圧が印加されるとともに、タッチパネル部にて検出された接触点に対向する点から所定の範囲の領域外となった領域に配置された電極に、その領域の表示状態をプレドライブ処理が行われる直前の表示状態に戻すための電圧が印加される。プレドライブ処理が行われた領域においては、帯電性粒子が、第１及び第２の電極層のうち、その領域にて記入情報を表示するための色を表示するようになる電極層側に引き寄せられ始めた状態となっているので、その領域に対向する電極に、記入情報を表示するための色を表示する電圧が印加された場合、帯電性粒子の移動距離が短くなり、それにより、電圧が印加されてから記入情報が表示されるまでの時間が短縮されることになる。
【発明の効果】
【０００９】
以上説明したように本発明においては、情報を記入するためにタッチパネル部にペン等を接触させると、まず、複数の電極のうち、情報表示層のタッチパネル部にて検出された接触点に対向する点から所定の範囲内の領域のうち記入情報を表示するための色を表示していない領域に配置された電極に、その電極に対向する領域にて帯電性粒子が、第１及び第２の電極層のいずれにも引き寄せられていない状態とするための電圧を印加するプレドライブ処理を行い、その後、プレドライブ処理を行った領域について、タッチパネル部にて検出された接触点に対向する点に配置された電極に、記入情報を表示するための色を表示する電圧を印加するとともに、タッチパネル部にて検出された接触点に対向する点から所定の範囲の領域外となった領域に配置された電極に、その領域の表示状態をプレドライブ処理が行われる直前の表示状態に戻すための電圧を印加する実ドライブ処理とを行う構成としたため、実際に情報が記入されることによって接触点が検出された領域においては、プレドライブ処理において、帯電性粒子が、第１及び第２の電極層のうち、その領域にて記入情報を表示するための色を表示するようになる電極層側に引き寄せられ始めた状態となっているので、その領域に対向する電極に、記入情報を表示するための色を表示する電圧が印加された場合、帯電性粒子の移動距離が短くなり、情報の記入から表示までの時間を短縮することができる。
【図面の簡単な説明】
【００１０】
【図１】本発明の記入情報表示装置の実施の一形態を示す図であり、（ａ）は全体の積層状態を示す図、（ｂ）は（ａ）に示したＡ部拡大図、（ｃ）は（ａ）に示した表示制御基板の構成を示す機能ブロック図である。
【図２】図１に示した可変表示部の動作を説明するための図である。
【図３】図１に示した記入情報表示装置の動作を説明するためのフローチャートである。
【図４】図１に示した記入情報表示装置にて記入情報が表示される際の表面の状態及びその状態を示す断面図である。
【図５】図１に示した表示電極に対する電圧の印加時間と可変表示部における表示色との関係を説明するための図であり、（ａ）は表示電極にプラスの電圧を印加した場合の印加時間と表示色との関係を示すグラフ、（ｂ）は表示電極に一定時間だけプラスの電圧を印加する場合の波形図、（ｃ）は表示電極に、透明電極側に引き寄せられていた帯電性粒子が表示電極側に引き寄せられるために十分な時間プラスの電圧を印加する場合の波形図である。
【図６】図１に示した記入情報表示装置にて予め情報が表示されている状態から情報を記入していく際の動作を説明するための図である。
【発明を実施するための形態】
【００１１】
以下に、本発明の実施の形態について図面を参照して説明する。
【００１２】
図１は、本発明の記入情報表示装置の実施の一形態を示す図であり、（ａ）は全体の積層状態を示す図、（ｂ）は（ａ）に示したＡ部拡大図、（ｃ）は（ａ）に示した表示制御基板６０の構成を示す機能ブロック図である。
【００１３】
本形態は図１に示すように、ベース基材１２上に第１の電極層を構成する複数の表示電極１１が形成された表示装置用電極基板１０と、ガラスや透明フィルム等からなる透明基板２２の一方の面に第２の電極層である透明電極（例えば、ＩＴＯ）２１が形成されてなる透明導電膜基板２０との間に可変表示部３０が挟み込まれて構成された情報表示層４０の一方の面に、タッチパネル部５０が積層されるとともに、タッチパネル部５０とは反対側に表示制御手段となる表示制御基板６０が積層されて構成されている。すなわち、情報表示層４０においては、第１の電極層を構成する表示電極１１と第２の電極層である透明電極２１とが、可変表示部３０を介して対向配置されている。
【００１４】
表示電極１１は、ベース基材１２上にマトリックス状に形成されており、表示制御基板６０による制御によって、第１の電圧となるプラスの電圧と第２に電圧となるマイナスの電圧のいずれか一方が選択的に印加される。
【００１５】
可変表示部３０は図１（ｂ）に示すように、隔壁３１とシール層３４とで囲まれた領域に、帯電性粒子３３が分散した隔壁内液体３２が収容されて構成されている。そして、表示装置用電極基板１０、可変表示部３０及び透明導電膜基板２０は、透明電極２１と表示電極１１とが、隔壁３１とシール層３４とで囲まれた領域に収容された隔壁内液体３２を介して対向するように積層されている。なお、隔壁３１は、底部と、可変表示部３０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層３４が積層されている。なお、図１に示したものにおいては、説明を簡単にするために、可変表示部３０の区画された領域と表示電極１１とが１対１に対応しているが、１対１に対応しているものには限らない。
【００１６】
タッチパネル部５０は、透明な材料から構成されることによって、可変表示部３０にて表示される色を透視可能になっており、周知の技術によって表面における接触点を検出することができるものである。
【００１７】
表示制御基板６０は図１（ｃ）に示すように、表示電極１１及び透明電極２１に電圧を印加する電極制御部６１と、タッチパネル部５０にて接触点として検出された座標を検出する座標検出部６２と、表示電極１１に対する電圧の印加状態を記憶するメモリ６３とが設けられている。
【００１８】
以下に、上述した可変表示部３０の動作について説明する。
【００１９】
図２は、図１に示した可変表示部３０の動作を説明するための図である。
【００２０】
図１に示した可変表示部３０においては、表示電極１１に印加される電圧に応じて情報が表示されることになる。
【００２１】
図２に示す可変表示部３０において、電極制御部６１の制御によって、透明電極２１をＧＮＤ電位とし、また、図中左側の表示電極１１にマイナスの電圧を印加するとともに、図中右側の表示電極１１にプラスの電圧を印加する。
【００２２】
すると、隔壁３１及びシール層３４で囲まれた領域に収容された隔壁内液体３２が誘電性物質からなり、帯電性粒子３３がマイナス電位に帯電しているものであることから、帯電性粒子３３が隔壁内液体３２内をクーロン力で移動し、図２に示すように、マイナスの電圧が印加された表示電極１１が形成された領域においては帯電性粒子３３が透明電極２１側に引き寄せられ、プラスの電圧が印加された表示電極１１が形成された領域においては帯電性粒子３３が表示電極１１側に引き寄せられる。
【００２３】
そして、隔壁内液体３２が黒色の染料または顔料で着色されており、帯電性粒子３３が高屈折率の光散乱成分を含むため、この記入情報表示装置を透明導電膜基板２０側から見た場合、図中左側の表示電極１１に対向する領域が白色に見え、図中右側の表示電極１１に対向する領域が黒色に見えるようになる。
【００２４】
以下に、上述した記入情報表示装置の動作について説明する。
【００２５】
図３は、図１に示した記入情報表示装置の動作を説明するためのフローチャートである。また、図４は、図１に示した記入情報表示装置にて記入情報が表示される際の表面の状態及びその状態を示す断面図である。
【００２６】
初期状態として、図１に示した記入情報表示装置において、電極制御部６１の制御により、透明電極２１をＧＮＤ電位とするとともに全ての表示電極１１にマイナスの電圧が印加されている。それにより、図４（ｂ）に示すように、可変表示部３０の全ての表示電極１１に対向する領域において帯電性粒子３３が透明電極２１側に引き寄せられた状態となり、図４（ａ）に示すように、タッチパネル部５０上の全ての領域が白色表示となっている。
【００２７】
この状態から、タッチペン７０を用いて情報を記入するために、タッチパネル部５０上の情報の書き出しの領域にタッチペン７０の先端を接触させると、タッチパネル部５０にてその接触点が検出される（ステップＳ１）。
【００２８】
そして、座標検出部６２において、タッチパネル部５０にて検出された接触点の座標が検出され、電極制御部６１の制御により、検出された座標に基づいてその接触点に対向して配置された表示電極１１が認識され、接触点に対向する点から半径ａ内の領域を所定の範囲内としてその範囲内に配置された表示電極１１にプラスの電圧が印加される（ステップＳ２）。すると、プラスの電圧が印加された表示電極１１に対向する領域においては、透明電極２１側に引き寄せられていた帯電性粒子３３が表示電極１１側に引き寄せられていく。なお、半径ａは、後述するように、タッチペン７０によって情報が記入されてからその情報が表示されるまでの時間が所定の時間以上とならないようなものに任意に設定可能である。
【００２９】
表示電極１１にプラスの電圧が印加されてから一定時間が経過した後（ステップＳ３）、プラスの電圧が印加された表示電極１１のうち、タッチパネル部５０にて検出された接触点に対向して配置された表示電極１１以外の表示電極１１に対する電圧の印加が停止される（ステップＳ４）。
【００３０】
そして、タッチパネル部５０にて検出された接触点に対向して配置された表示電極１１に対するプラスの電圧の印加時間が、透明電極２１側に引き寄せられていた帯電性粒子３３が表示電極１１側に引き寄せられるために十分な時間となると、図４（ｄ）に示すように、タッチパネル部５０にて検出された接触点に対向する領域においては帯電性粒子３３が表示電極１１側に引き寄せられた状態となり、また、その接触点から半径ａ内の領域においては、表示電極１１と透明電極２１のいずれにも引き寄せられていない状態となる。それにより、図４（ｃ）に示すように、タッチパネル部５０にて検出された接触点においては黒色表示となり、また、その接触点から半径ａ内の領域は黒色と白色の中間色の灰色表示となり、その他の領域は白色表示となる。
【００３１】
ここで、表示電極１１に対する電圧の印加時間と可変表示部３０における表示色との関係について説明する。
【００３２】
図５は、図１に示した表示電極１１に対する電圧の印加時間と可変表示部３０における表示色との関係を説明するための図であり、（ａ）は表示電極１１にプラスの電圧を印加した場合の印加時間と表示色との関係を示すグラフ、（ｂ）は表示電極１１に一定時間だけプラスの電圧を印加する場合の波形図、（ｃ）は表示電極１１に、透明電極２１側に引き寄せられていた帯電性粒子３３が表示電極１１側に引き寄せられるために十分な時間プラスの電圧を印加する場合の波形図である。
【００３３】
図５（ａ）に示すように、図１に示した記入情報表示装置の可変表示部３０における表示色は、表示電極１１に対する電圧の印加時間とともに変化する。そのため、可変表示部３０における表示色が、上述したように帯電性粒子３３が透明電極２１側に引き寄せられていることにより白色となっている状態において、表示電極１１にプラスの電圧を印加すると、その印加時間とともに帯電性粒子３３が表示電極１１側に引き寄せられていき、可変表示部３０における表示色が黒色に変化していく。
【００３４】
この際、表示電極１１と透明電極２１のいずれか一方の側に引き寄せられていた帯電性粒子３３が隔壁内液体３２内を移動して反対側に引き寄せられるまでにある程度の時間がかかるため、上述したような表示電極１１に対する電圧の印加を、パルスを用いて小刻みに行うことにより、黒表示から白表示に変化する領域と、白表示から黒表示に変化する領域とで、表示の変化にずれが肉眼で認識されてしまうことを回避している。
【００３５】
そして、プラスの電圧が印加された表示電極１１のうち、タッチパネル部５０にて検出された接触点に対向して配置された表示電極１１以外の表示電極１１に対しては、図５（ｂ）に示すように、プラスの電圧が印加されてから、透明電極２１側に引き寄せられていた帯電性粒子３３が表示電極１１側に引き寄せられていき、表示電極１１と透明電極２１のいずれにも引き寄せられていない状態となるまでの一定時間が経過するまで、プラスの電圧がパルスとなって印加される。
【００３６】
また、タッチパネル部５０にて検出された接触点に対向して配置された表示電極１１に対しては、図５（ｃ）に示すように、プラスの電圧が印加されてから、透明電極２１側に引き寄せられていた帯電性粒子３３が表示電極１１側に引き寄せられるために十分な時間が経過するまで、プラスの電圧がパルスとなって印加される。
【００３７】
このように、図１に示した記入情報表示装置の電極制御部６１においては、ベース基材１２上に形成された複数の表示電極１１のうち、タッチパネル部５０にて検出された接触点から半径ａ内の領域に対向して配置された表示電極１１に、透明電極２１側に引き寄せられていた帯電性粒子３３が表示電極１１側に引き寄せられていき、表示電極１１と透明電極２１のいずれにも引き寄せられていない状態となるまでの一定時間だけプラスの電圧が印加されることとなり、表示制御基板６０におけるこの処理をプレドライブ処理と称する。なお、本形態においては、表示電極１１に対して電圧の印加時間を用いて、透明電極２１側に引き寄せられていた帯電性粒子３３が表示電極１１と透明電極２１のいずれにも引き寄せられていない状態としているが、表示電極１１に対して、透明電極２１側に引き寄せられていた帯電性粒子３３が表示電極１１側に完全に引き寄せられるための電圧よりも低い電圧を印加することにより、透明電極２１側に引き寄せられていた帯電性粒子３３が表示電極１１と透明電極２１のいずれにも引き寄せられていない状態とすることも考えられる。これらを含めて、プレドライブ処理においては、ベース基材１２上に形成された複数の表示電極１１のうち、タッチパネル部５０にて検出された接触点から半径ａ内の領域に対向して配置された表示電極１１に、透明電極２１側に引き寄せられていた帯電性粒子３３が表示電極１１と透明電極２１のいずれにも引き寄せられていない状態とするための電圧を印加することになる。
【００３８】
その後、プレドライブ処理が行われた領域、すなわち、帯電性粒子３３が表示電極１１と透明電極２１のいずれにも引き寄せられていない状態となることにより灰色表示となっている領域について、タッチパネル部５０にて接触点が検出された場合（ステップＳ５）、座標検出部６２においてその接触点の座標が検出され、電極制御部６１の制御により、検出された座標に基づいてその接触点に対向して配置された表示電極１１が認識され、その表示電極１１に対して、表示電極１１と透明電極２１のいずれにも引き寄せられていない帯電性粒子３３が表示電極１１側に完全に引き寄せられるのに十分な時間プラスの電圧が印加される（ステップＳ６）。すると、図４（ｆ）に示すように、表示電極１１と透明電極２１のいずれにも引き寄せられていない帯電性粒子３３が表示電極１１側に完全に引き寄せられ、図４（ｅ）に示すように、プレドライブ処理によって灰色表示となっている領域のうち、その後にタッチペン５０にて接触した領域が黒表示となり、それにより、タッチペン５０による記入情報８３が黒色で表示されることになる。
【００３９】
このように、タッチパネル部５０における接触点から半径ａ内の領域について、透明電極２１側に引き寄せられていた帯電性粒子３３を表示電極１１側に引き寄せて表示電極１１と透明電極２１のいずれにも引き寄せられていない状態にしておき、その後、その領域においてタッチパネル部５０にて接触点が検出された場合に、その接触点に対向して配置された表示電極１１に対して、表示電極１１と透明電極２１のいずれにも引き寄せられていない帯電性粒子３３が表示電極１１側に完全に引き寄せられるのに十分なプラスの電圧を印加するので、情報を記入するためにタッチパネル部５０にタッチペン７０の先端が接触した場合に、帯電性粒子３３の移動距離が短くなり、それにより、情報の記入から表示までの時間を短縮することができる。
【００４０】
また、プレドライブ処理が行われた領域、すなわち、帯電性粒子３３が表示電極１１と透明電極２１のいずれにも引き寄せられていない状態となることにより灰色表示となっている領域について、その後にタッチパネル５０にて検出された接触点から半径ａよりも離れた領域、すなわち、半径ａによる所定の範囲外となった領域においては（ステップＳ７）、電極制御部６１の制御によって、その領域に配置された表示電極１１に対してマイナスの電圧が印加される（ステップＳ８）。すると、図４（ｆ）に示すように、表示電極１１と透明電極２１のいずれにも引き寄せられていない帯電性粒子３３が透明電極２１側に引き寄せられ、図４（ｅ）に示すように、プレドライブ処理によって灰色表示となっている領域のうち、その後にタッチペン５０にて接触されなかった領域の表示状態が、灰色表示となる直前の白色表示に戻される。なお、表示制御基板６０においては、表示電極１１に対する電圧の印加状態がメモリ６３に記憶されているため、電極制御部６１においては、メモリ６３を参照し、プレドライブ処理が行われた領域に配置された表示電極１１のうち、その後にタッチパネル５０にて検出された接触点から半径ａよりも離れた領域に配置された表示電極１１に対して、その領域の表示状態をプレドライブ処理が行われる直前の表示状態に戻すための電圧を印加することになる。
【００４１】
このように、図１に示した記入情報表示装置の電極制御部６１においては、プレドライブ処理が行われた領域について、その後、タッチパネル部５０にて接触点が検出された場合、その接触点に対向して配置された表示電極１１に対して、可変表示部３０にて黒色表示されるための電圧が印加され、また、タッチパネル５０にて検出された接触点から半径ａよりも離れた領域、すなわち、半径ａによる所定の範囲外となった領域に対向して配置された表示電極１１に対して、その領域の表示状態をプレドライブ処理が行われる直前の表示状態に戻すための電圧が印加されることとなり、表示制御基板６０におけるこの処理を実ドライブ処理と称する。
【００４２】
なお、プレドライブ処理が行われた後においても、タッチペン７０によるタッチパネル部５０の接触点に対するプレドライブ処理は、上記同様に行われ、それにより、図４（ｅ）に示すように、タッチペン７０によるタッチパネル部５０の接触点から半径ａ内の領域においては、灰色表示されることになる。
【００４３】
上述した実施の形態においては、記入情報表示装置にて何も表示されていない状態からタッチペン７０を用いて情報を記入し、その記入情報のみを表示する場合を例に挙げて説明したが、情報表示層４０が上述したように情報の表示が可能なものであることから、実際には、情報表示層４０にて予め情報が表示された状態において、その情報に対するメモ等を記入することになる。
【００４４】
図６は、図１に示した記入情報表示装置にて予め情報が表示されている状態から情報を記入していく際の動作を説明するための図である。
【００４５】
図６に示すように、図１に示した記入情報表示装置においては、ベース基材１２上に形成された複数の表示電極１１のうち、表示する情報に応じた表示電極１１のみにプラスの電圧が印加されることによって黒色表示部５１が形成されている場合がある。そして、上述したようなタッチパネル部５０にて検出された接触点から半径ａ内の領域がこの黒色表示部５１にかかっている場合、黒色表示部５１においてはタッチペン７０による接触点となった場合であっても、表示色を変化させる必要がない。そのため、電極制御部６１においては、図６（ａ）に示すように、黒色表示部５１に対向する表示電極１１については、タッチパネル部５０にて検出された接触点から半径ａ内の領域となった場合でも、上述したプレドライブ処理を行って灰色表示とせず、記入情報を表示するための黒色を表示していない領域、すなわち、白色表示となっている領域のみについて、上述したプレドライブ処理を行うこととなる。
【００４６】
そして、その後、上述した実ドライブ処理を行うことにより、図６（ｂ）に示すように、プレドライブ処理によって灰色表示となっている領域のうちタッチペン５０にて接触した領域が黒表示となり、それにより、タッチペン５０による記入情報８３が黒色で表示されることになる。
【符号の説明】
【００４７】
１０    表示装置用電極基板
１１    表示電極
１２    ベース基材
２０    透明導電膜基板
２１    透明電極
２２    透明基板
３０    可変表示部
３１    隔壁
３２    隔壁内液体
３３    帯電性粒子
３４    シール層
４０    情報表示層
５０    タッチパネル部
５１    黒色表示部
６０    表示制御基板
６１    電極制御部
６２    座標検出部
６３    メモリ
７０    タッチペン
８１    接触点
８２    周囲領域
８３    記入情報
【図１】
2011150119.tif 000003
【図２】
2011150119.tif 000004
【図３】
2011150119.tif 000005
【図４】
2011150119.tif 000006
【図５】
2011150119.tif 000007
【図６】
2011150119.tif 000008